【事件の表示】
　平成　８年特許願第　１３０１２号「ヒュージブルリンク用ブロック」拒絶査定不服審判事件〔平成　９年　８月　５日出願公開、特開平　９−２０４８７３号〕について、次のとおり審決する。
【結　論】
　本件審判の請求は、成り立たない。
【理　由】
Ｉ．手続の経緯・本願発明
　本願は、平成８年１月２９日の出願であって、その請求項１に係る発明は、平成１５年１月２７日付け手続補正書、平成１５年７月７日付け手続補正書、及び平成１８年７月３日の手続補正書により補正された明細書および図面の記載からみて、その特許請求の範囲の請求項１に記載された事項により特定される次のとおりのものである（以下「本願発明」という）。
　
　「ヒュージブルリンクが装着されるカセットホルダーと、車体側に固定され該カセットホルダーの装着されるホルダー収容部が内部に一体形成されたブロックカバーとを具備し、前記ブロックカバーには、装着された前記カセットホルダーのヒュージブルリンク溶断部と対応する上面位置及び側面位置に格子状のカバー部により包囲された視認用及び放熱用の孔が形成されていることを特徴とするヒュージブルリンク用ブロック。」
　
II．引用例の記載事項
　これに対して、当審の拒絶理由で引用した、特開平６−３２７１２２号公報（以下「引用例１」という）には、次の事項が図面とともに記載されている。
１−１．（２ページ１欄【０００３】段落）
　「図１４、図１５は、上記各公報に記載された電気接続箱と類似の従来の電気接続箱の構成を示す図であり、図１４は上部カバーを外した状態の電気接続箱の側面図、図１５は電気接続箱の全体構成を示す分解斜視図である。この電気接続箱１は、本体３と、この電気接続箱本体３の上面を覆う上部カバー５と、電気接続箱本体３の底面を覆う下部カバー７とからなる。」
１−２．（１ページ１〜２欄【０００６】段落）
　「また、電気接続箱本体３の外側面には、上部カバー５側の係合片３１（図１５参照）と係合する係合部３２と、下部カバー７側の係合枠３３及び係合凹部３４、３５と係合する係合部３６、３７、３８とが設けられている。」
１−３．（３ページ３欄２４〜２７行）
　「電気接続箱本体３の上面中央には、ヒュージブルリンク６０（図１０参照）の嵌合部４８が形成されている。」
１−４．（４ページ５欄【００２４】段落）
　「これにより端子２００のボルト通し孔２０２の位置が電気接続箱本体３側と合う。このように端子カバー２００を圧入溝部５１に圧入した場合、端子２００は位置決めされた状態で、仮保持されかつボルト締め付け時に回り止めされることになる。次いで、この状態でボルト１００をナット１０２にねじ込むことにより、ヒュージブルリンク６０とブスバー９と端子２００とを共締めし、接続が終了したら、図１３に示すように下部カバー１１７を電気接続箱本体３の底面にセットしロックする。これにより電気接続箱の組立が完了する。」
　
　図１，２，１５には、接続箱本体３と、上部カバー５と、車体側に固定する固定部材を有する下部カバー１１７とを備えた電気接続箱１１０が示されている。
　図１０，１１には、接続箱本体３の上面の嵌合部４８にヒュージブルリンク６０が装着されることが示されている。
　
　図１５を参照しつつ記載１−２を検討すると、上部カバー５は、その下部に設けた係合片３１が、電気接続箱本体３の側面中程に設けた係合部３２と係合することにより、電気接続箱本体３に取り付けられることから、装着される電気接続箱本体３の上面のみならず、その上半部をも収容可能な収容部が、その内部に一体形成されているものであると認められる。
　したがって、上記記載事項及び図示内容から、引用例１には次の発明（以下、「引用発明」という）が記載されていると言える。
　「ヒュージブルリンク６０が装着される電気接続箱本体３と、車体側に固定された下部カバー７と、電気接続箱本体３の装着される収容部が内部に一体形成された上部カバー５とを具備した電気接続箱。」
　
　また、同じく当審の拒絶理由で引用した、実願昭５３−０８０４９６号（実開昭５４−１８１２４３号）のマイクロフィルム（以下「引用例２」という）には、次の事項が図面とともに記載されている。
２−１．（５ページ１６行〜６ページ３行）
　「第２，３，４図に示す実施例に於て、６はヒユーズボツクスであり、プラグインヒユーズ５のハウジング４，ヘツドフランジ３同様適宜合成樹脂製であり、表面一側に複数のセツト孔７，７・・・を穿設され、内部には該プラグインヒユーズ５，５・・・のヒユーズ素子１，１を電気的に係合接続するクリツプ端子コネクタを有するヒユーズホルダー８，８・・・が設けられている。」
２−２．（６ページ１６行〜７ページ２行）
　「又、１５は該セツトプレート１０を被うカバーであり、同じく合成樹脂製であり、その両端はフツク１６．１６を介して前記セツトプレート１０の端部に係合し、該セツトプレート１０の挿通孔１３，１３に対応する部位に挿通孔１７，１７を穿設され、又、プラグインヒユーズセツト部位には点検用透窓１８，１８…が設けられている。」
２−３．（第２，３，４図）
　第３図には、カバー１５に、格子状の部分を残して、プラグインヒユーズ５のヘツドフランジ３に対応した位置に複数の略長方形の点検用透窓１８，１８が設けられていることが示されている。ヒユーズボックスの横断説明図である第４図には、カバー１５のプラグインヒユーズ５に対応した位置に点検用透窓１８，１８が設けられるとともに、カバー１５の左右両側が開口部となっていることが示されている。
　
III．対比
　そこで、本願発明と引用発明とを対比すると、その構造または機能からみて、引用発明の「ヒュージブルリンク６０」は、本願発明の「ヒュージブルリンク」に相当し、以下同様に、引用発明の「電気接続箱本体」は「カセットホルダー」に、「ヒュージブルリンク用ブロック」は「電気接続箱」に、それぞれ相当する。
　また、引用発明の「上部カバー５」は、装着される電気接続箱本体の上半部を収容可能な収容部が、その内部に一体形成されているものである点で、本願発明の、カセットホルダーの装着されるホルダー収容部が内部に一体形成されている「ブロックカバー」と共通する。
　
　そこで、両者は、本願発明の用語を用いて表現すると、次の点で一致する。
（一致点）
　「ヒュージブルリンクが装着されるカセットホルダーと、該カセットホルダーの装着されるホルダー収容部が内部に一体形成されたブロックカバーとを具備した、ヒュージブルリンク用ブロック。」
　
　そして、両者は、次の相違点で相違する（対応する引用例記載の用語を（　）内に示す）。
相違点ａ．
　本願発明はブロックカバーが車体側に固定されているのに対し、引用発明は、ブロックカバー（上部カバー５）ではなく、下部カバー１１７が車体側に固定されている点。
相違点ｂ．
　本願発明は、カセットホルダーのヒュージブルリンク溶断部と対応するブロックカバーの上面位置及び側面位置に、格子状のカバー部により包囲された視認用及び放熱用の孔が形成されているのに対し、引用発明は、ブロックカバー（上部カバー５）に、かかる孔が形成されていない点。
　
IV．判断
　上記相違点について検討する。
相違点ａ．について
　一般に、電気接続箱において、上部カバー側に固定手段を設けることが、例えば、特開平３−１１５７４号公報、特開平３−２４３１１１号公報等に示すように周知であるとともに、電気接続箱を、それを構成するいずれの部材によって車体に取り付けるかは、当業者が必要に応じ適宜選択し得た事項にすぎないといえるので、電気接続箱を車体に固定するにあたり、下部カバー１１７に車体への固定手段を設けることに代え、上部カバー５に車体への固定手段を設け、相違点ａに係る本願発明の発明特定事項のようにすることは、当業者が適宜なし得たことである。
　
相違点ｂ．について
　引用例２には、ヒユーズボツクス６に装着されたプラグインヒユーズ５を覆うカバー１５のプラグインヒユーズと対応する上面位置に、格子状のカバー部により包囲された長方形の孔である点検用透窓１８，１８を設けることが記載されている。
　また、引用例２記載のカバー１５は、かかる上面の孔の他に、その左右両側面にも開口部を有するものであるが、これらの孔や開口が放熱の機能を兼ね備えるであろうことは、引用例２の記載に接した当業者が直ちに予測し得ることである。
　そして、引用例２記載のものは、本願発明と同じ技術分野に属するものであり、「ヒユーズボツクス６」、「プラグインヒユーズ５」、「カバー１５」は、それぞれ、本願発明の「カセットホルダー」、「ヒュージブルリンク」、「ブロックカバー」に対応するものである。
　したがって、引用発明に、点検の容易性と放熱性向上とを目的として、引用例２記載のものを適用し、引用発明の上部カバー５のヒュージブルリンク６０と対応する上面位置に、格子状のカバー部により包囲された孔を設けるとともに、上部カバー５の、ヒュージブルリンク６０と対応する側面位置にも上面に倣って格子状のカバー部により包囲された孔を設けるようにして、相違点ｂに係る本願発明の発明特定事項のようにすることは、当業者が容易に想到し得たことであるといえる。
　
Ｖ．むすび
　以上のとおり、本願発明は、引用発明及び引用例２に記載されたもの並びに周知技術に基づいて、当業者が容易に発明をすることができたものであるので、特許法第２９条第２項の規定により、特許を受けることができない。
　よって、結論のとおり審決する。